(57)【要約】  【課題】  取り付け易く、使用時には外れ難く、修理等の際は外し易い構造のハンドルが加湿器本体の左右両側面に渡った大きな形態をなすものがあるが、ハンドル成形金型を含めてコストが高くなり、ハンドルが露出するためデザイン的にも好ましくない。本発明は、取り付け易く、機器の運搬時には十分な強度を確保できて外れず安定し、使用しない状態では倒して本体の上面内に収納できるようにする。  【解決手段】  取っ手は略門型形状をなし、機器本体の上壁には取っ手を平面状に倒して収納する上面開口の取っ手収納凹部が設けられ、この凹部には水平方向に対向する左右支持軸が設けられ、取っ手の取り付け部には、取っ手がこの凹部内に収納される態勢で左右支持軸に対して着脱自在であり、取っ手立ち上げ状態では左右支持軸を支える状態となる軸受け部を形成したものである。【選択図】  図３
2006038104.tif 000002
【特許請求の範囲】
【請求項１】
左右の取り付け辺の一端部の取り付け部が機器本体の上壁に回動可能に支持され前記左右の取り付け辺の他端部が握り部で連結された略門型形状をなす取っ手を備え、前記機器本体の上壁には前記取っ手を平面状に倒した状態で収納する上面開口の取っ手収納凹部が設けられ、前記取っ手収納凹部の左右両壁には水平方向に対向するように前記取っ手収納凹部内に突出した左右支持軸が設けられ、前記左右の取り付け辺の取り付け部には、前記取っ手が前記取っ手収納凹部内に収納される態勢で前記左右支持軸に対して着脱自在状態であり、前記取っ手を立ち上げた運搬状態では前記左右支持軸を支える状態となる軸受け部を形成したことを特徴とする機器の運搬用取っ手装置。
【請求項２】
左右の取り付け辺の一端部の取り付け部が機器本体の上壁に回動可能に支持され前記左右の取り付け辺の他端部が握り部で連結された略門型形状をなす取っ手を備え、前記機器本体の上壁には前記取っ手を平面状に倒した状態で収納する上面開口の取っ手収納凹部が設けられ、前記取っ手収納凹部の左右両壁には相互に対向するように前記取っ手収納凹部内に突出した左右支持軸が設けられ、前記左右の取り付け辺の取り付け部には、前記左右支持軸間の隙間に侵入する隔壁と、この隔壁の両側において前記左右支持軸がそれぞれ嵌り合う軸受け部とを形成し、この軸受け部は、前記取っ手が前記取っ手収納凹部内に収納される態勢で前記左右支持軸と着脱自在に嵌り合う挿入路と、前記取っ手を立ち上げた運搬状態で前記左右支持軸がそれぞれ支えられる支え部がこの挿入路に連通して形成されたことを特徴とする機器の運搬用取っ手装置。
【請求項３】
前記左右支持軸は縦断側面が円形状であり、前記支え部は前記左右支持軸の直径よりも若干大径の円形状をなし、前記挿入路は、前記支え部との連通部が前記左右支持軸の直径よりも若干大であるが前記支え部の直径よりも若干小であり、前記挿入路の入口側の幅を前記連通部よりも広く形成したことを特徴とする請求項２に記載の機器の運搬用取っ手装置。
【請求項４】
前記取っ手は、前記取っ手収納凹部内に収納された状態において、前記機器本体の上壁と面一又は若干低い状態となることを特徴とする請求項１乃至３のいずれかに記載の機器の運搬用取っ手装置。
【発明の詳細な説明】
【技術分野】
【０００１】
本発明は、機器本体の上面に運搬用取っ手を備えた機器の運搬用取っ手装置に関する。
【背景技術】
【０００２】
加湿器本体の左右両側面に回動可能に合成樹脂製のハンドルを取り付ける場合、部品点数と組み立て工数を増えない構成として、加湿器本体の左右両側面で角度差を有する鍵状穴を設け、ハンドルの左右両端に形成したこの鍵状穴と同形状の突起を挿入する場合、左右両側の一方が、使用時のハンドルの動作範囲外の角度で挿入されるように構成したものがある。（例えば、特許文献１参照）。
【特許文献１】特開２００４−８４８０２号公報
【発明の開示】
【発明が解決しようとする課題】
【０００３】
特許文献１のものは、製品組み立て時には取り付け易く、使用時には外れ難く、修理等の際には外し易い構造になっているが、ハンドルが加湿器本体の左右両側面に渡った大きな形態であり、ハンドル成形金型を含めてコストが高くなり、ハンドルを倒した状態でも加湿器本体の外面を取り囲むように露出するためデザイン的にも好ましいものではない。
このような点に鑑みて、本発明は、組み立て時や修理交換時等には取り付けし易く、機器の運搬時には十分な強度が得られると共に外れず安定し、使用しない状態では倒して本体の上面内に収納でき、デザイン的にも好ましい小型の取っ手構成を提供するものである。
【課題を解決するための手段】
【０００４】
第１の発明は、左右の取り付け辺の一端部の取り付け部が機器本体の上壁に回動可能に支持され前記左右の取り付け辺の他端部が握り部で連結された略門型形状をなす取っ手を備え、前記機器本体の上壁には前記取っ手を平面状に倒した状態で収納する上面開口の取っ手収納凹部が設けられ、前記取っ手収納凹部の左右両壁には水平方向に対向するように前記取っ手収納凹部内に突出した左右支持軸が設けられ、前記左右の取り付け辺の取り付け部には、前記取っ手が前記取っ手収納凹部内に収納される態勢で前記左右支持軸に対して着脱自在状態であり、前記取っ手を立ち上げた運搬状態では前記左右支持軸を支える状態となる軸受け部を形成したことを特徴とする。
【０００５】
第２の発明は、左右の取り付け辺の一端部の取り付け部が機器本体の上壁に回動可能に支持され前記左右の取り付け辺の他端部が握り部で連結された略門型形状をなす取っ手を備え、前記機器本体の上壁には前記取っ手を平面状に倒した状態で収納する上面開口の取っ手収納凹部が設けられ、前記取っ手収納凹部の左右両壁には相互に対向するように前記取っ手収納凹部内に突出した左右支持軸が設けられ、前記左右の取り付け辺の取り付け部には、前記左右支持軸間の隙間に侵入する隔壁と、この隔壁の両側において前記左右支持軸がそれぞれ嵌り合う軸受け部とを形成し、この軸受け部は、前記取っ手が前記取っ手収納凹部内に収納される態勢で前記左右支持軸と着脱自在に嵌り合う挿入路と、前記取っ手を立ち上げた運搬状態で前記左右支持軸がそれぞれ支えられる支え部がこの挿入路に連通して形成されたことを特徴とする。
【０００６】
第３の発明は、上記第２の発明において、前記左右支持軸は縦断側面が円形状であり、前記支え部は前記左右支持軸の直径よりも若干大径の円形状をなし、前記挿入路は、前記支え部との連通部が前記左右支持軸の直径よりも若干大であるが前記支え部の直径よりも若干小であり、前記挿入路の入口側の幅を前記連通部よりも広く形成したことを特徴とする。
【０００７】
第４の発明は、上記第１乃至第３の発明において、前記取っ手は、前記取っ手収納凹部内に収納された状態において、前記機器本体の上壁と面一又は若干低い状態となることを特徴とする。
【発明の効果】
【０００８】
第１の発明では、取っ手の左右両端部の軸受け部が、取っ手が取っ手収納凹部内に収納される態勢で左右支持軸に対して着脱自在状態であるため、組み立てや取り外しがし易くなり、取っ手を立ち上げた運搬状態では左右支持軸を支える状態となるため、運搬時には安定して機器を持ち運びでき安全である。また、取っ手を使用しない場合は倒して本体の上面の凹部内に収納できるため、邪魔にならずデザイン的にも好ましい形態となる。そして小型の取っ手となるため、成形金型を含めて低コスト化が図れる。
【０００９】
第２の発明では、第１発明の効果の他に、左右支持軸間の隙間に侵入する隔壁の存在によって、軸受け部は十分な強度が確保されるため、合成樹脂製の取っ手を構成した場合でも、機器の重量が大である場合や急激に機器を持ち上げる際に掛かる荷重に対して破損することはなく、機器の安全運搬が達成できるものとなる。
【００１０】
第３の発明では、第２発明の効果の他に、挿入路へ左右支持軸を案内し易いため取っ手の取り付けがし易く、また機器の運搬時には、左右支持軸が挿入路の奥の支え部に落ち込んだ状態となるため、左右支持軸と取っ手との結合が安定して機器の安全運搬が達成できる。
【００１１】
第４の発明では、第１発明または第２発明の効果に加えて、取っ手を使用しない倒伏状態では、本体の上面から突出しない状態に収納されるため、機器の上面形状にマッチングしてデザイン的にも好ましい形態となる。
【発明を実施するための最良の形態】
【００１２】
本発明の機器の運搬用取っ手は、略門型形状をなし、機器本体の上壁には取っ手を平面状に倒した状態で収納する上面開口の取っ手収納凹部が設けられ、取っ手収納凹部には水平方向に対向するように突出した左右支持軸が設けられ、取っ手の取り付け部には、取っ手が取っ手収納凹部内に収納される態勢で左右支持軸に対して着脱自在状態であり、取っ手を立ち上げた運搬状態では左右支持軸を支える状態となる軸受け部を形成したものであり、以下に本発明の実施形態を記載する。
【実施例１】
【００１３】
次に、本発明の実施の形態について説明する。図１は本発明に係る取っ手を立ち上げた状態の加湿器の正面斜視図、図２は本発明に係る加湿器の縦断側面図、図３は本発明に係る取っ手の取り付け部と左右支持軸との関係を示す斜視図、図４は本発明に係る取っ手を立ち上げた状態の取り付け部と左右支持軸との関係を示す側面図、図５は図４のＡ−Ａ矢視図、図６は本発明に係る取っ手を取っ手収納凹部に取り付ける順序を説明する斜視図である。以下、実施例１について説明する。
【００１４】
図において、加湿器１は本発明が対象とする機器の一種であり、前面開口の本体２と、この前面開口を塞ぐように本体２の前面に取り外し自在に取り付けられた前面パネル３とで筐体を構成している。本体２の上面には折り畳み自在に取っ手４が設けられている。加湿器本体２内は、下部に水槽６が前方へ引き出し自在に形成され、その上方に仕切り板１６によって囲まれたファンケーシング１５内に送風機８が収納されている。ファンケーシング１５の右側には透明な給水タンク（図示せず）が収納されるタンク収納室１１が形成され、このタンク収納室１１の上面には、この給水タンクの出し入れ用の開閉自在な蓋１２が設けられている。前面パネル３の右側部にはこの給水タンクの水位を目視できる窓３Ａが形成されている。
【００１５】
加湿器１には、本体２の背面と左側面に渡って空気の吸い込み口４を形成し、前面パネル３の上面には加湿空気の吹き出し口５が形成されている。空気の吸い込み口４にはフィルタ９を備え、吹き出し口５には横桟を縦桟で連結した吹き出し口ルーバ１７を備えている。この加湿器１内には、吸い込み口４と吹き出し口５を連通するように通風路１０が形成されている。通風路１０は、吸い込み口４からファンケーシング１５内の送風機８へ連通する通路と、送風機８からファンケーシング１５の開口１５Ａを通って下方の水槽６内に設置した加湿フィルタ７の空気入口側に至る通路と、加湿フィルタ７の前面の空気出口側から吹き出し口５へ至る通路（前面パネル３の裏側と仕切り板１６との間の通路）によって一連の通風路１０を形成している。
【００１６】
送風機８は、加湿フィルタ７の空気入口側に十分な空気の静圧を得るために、電動機によって回転する遠心型送風機が採用され、図ではシロッコファンを示す。加湿フィルタ７は水槽６内の水を毛細管作用のよって吸い上げ、加湿フィルタ７を通過する空気を加湿する。１３は水槽６の後方の閉じられた空間に形成した電装ボックスであり、その中に電装品１４を収納している。本体２の上面前部には、横一列に配置した複数のスイッチ１８と湿度表示部１９を備えた操作部２０が設けられ、加湿器１の運転は、スイッチ１８の操作に基づき電子回路部品で構成した制御回路部２１が作動して所期の制御が達成されるものである。
【００１７】
取っ手４は、左右の取り付け辺４０、４０の一端部の取り付け部４１が加湿器本体（機器本体）２の上壁２Ａに回動可能に支持され、左右の取り付け辺４０、４０の他端部が握り部４２で連結された略門型形状をなす。加湿器本体（機器本体）２の上壁には取っ手４を平面状に倒した状態で収納する上面開口の取っ手収納凹部４３が略門型形状に設けられている。取っ手収納凹部４３の左右両壁には水平方向に対向するように取っ手収納凹部４３内に突出した左右支持軸４４、４４が設けられている。左右の取り付け辺４０、４０の取り付け部４１には、取っ手４が取っ手収納凹部４３内に収納される態勢において左右支持軸４４、４４に対して着脱自在に嵌り合い、取っ手４を立ち上げた運搬状態では左右支持軸４４、４４を支える状態となる軸受け部４５を形成している。
【００１８】
本発明では、取っ手４を合成樹脂で成形した場合、軸受け部４５の強度確保のために、左右の取り付け辺４０、４０の取り付け部４１には、左右支持軸４４、４４間の隙間に侵入する隔壁４６を形成し、この隔壁４６の左右両側において左右支持軸４４、４４がそれぞれ嵌り合う軸受け部４５とを形成している。この軸受け部４５は、取っ手４が取っ手収納凹部４３内に収納される態勢で左右支持軸４４、４４と着脱自在に嵌り合う挿入路４７と、取っ手４を立ち上げた運搬状態で左右支持軸４４、４４がそれぞれ支えられる支え部４８がこの挿入路４７に連通して形成されている。
【００１９】
左右支持軸４４、４４は縦断側面が円形状の円柱形であり、支え部４８は左右支持軸４４、４４の直径Ｄ１よりも若干大径Ｄ２の円形状孔をなす。また、挿入路４７は、支え部４８との連通部４９の幅Ｄ３が左右支持軸４４、４４の直径Ｄ１よりも若干大であるが、支え部４８の直径Ｄ２よりも若干小であり、挿入路４７の入口側の幅Ｄ４を連通部４９の幅Ｄ３よりも広く形成している。これは、後述のように、取っ手４を取り付ける際に、挿入路４７と左右支持軸４４、４４との嵌め合わせ作業をし易くするためであり、また、嵌め合わせた状態で取っ手４が運搬状態で外れ難くするためである。
【００２０】
このような挿入路４７と支え部４８の構成によって、取っ手４を本体２に取り付ける場合は、図６の（イ）のように、本体２の上壁２Ａに略平行な水平状態、即ち、取っ手４が取っ手収納凹部４３内に収納されるように倒した態勢でもって、取っ手４を矢印Ｐのように本体２の上壁２Ａへ向けて移動して、挿入路４７の入口に左右支持軸４４、４４が臨む状態に対応させ、その状態で更に取っ手４を矢印Ｐ方向に移動させることによって、図６の（ロ）のように左右支持軸４４、４４が支え部４８内に入り込んだ対応状態となる。この状態で取っ手４が取っ手収納凹部４３内に収納され、取っ手４が本体２に取り付けられた状態となる。このように取っ手４が取っ手収納凹部４３内に収納された状態において、取っ手４の上面が本体２の上壁と面一又は若干低い状態となるように、取っ手４の厚さと取っ手収納凹部４３の深さが形成されている。
【００２１】
このような取っ手４の取り付け状態において、取っ手４の取り外しは、上記の取り付け操作順序とは逆の操作によって行うことができる。このような取っ手４の取り付け状態において、加湿器（機器）１を運搬する場合には、取っ手４を図１のように略垂直状態に立てて、握り部４２を持って運搬できる。このように取っ手４を左右支持軸４４、４４に着脱し、また回動できるようにするために、取っ手４の取り付け部４１と取っ手収納凹部４３の壁との間には隙間Ｓ、Ｓ１が形成されている。
【００２２】
取っ手４が図１のように略垂直状態に立てた運搬状態において、取っ手４が左右支持軸４４、４４から外れないようにするために、この隙間Ｓは、挿入路４７の入口から支え部４８の奥壁までの長さＹよりもかなり小であり、また取っ手収納凹部４３の幅Ｒと取っ手４の幅Ｑの差（Ｓ１＋Ｓ１）は、左右支持軸４４、４４の突出長さＳ２よりもかなり小である。
【００２３】
図１のように取っ手４を立ち上げた運搬状態では、図４及び図５のように、左右支持軸４４、４４がそれぞれ支えられる支え部４８に当接して、加湿器（機器）１の荷重を支える。この支え状態では、支え部４８が挿入路４７との連通部４９よりも若干下方位置となるため、その両者間に段差Ｔが生じた状態である。この段差Ｔの存在は、運搬時に生じる加湿器（機器）１の揺れや、他物に当ったときの衝撃によって、取っ手４が隙間Ｓの範囲で左右支持軸４４、４４から外れようとした場合にも、取っ手４が挿入路４７側へ移動することが抑制されるため、取っ手４と左右支持軸４４、４４との結合が安定し、安全な運搬が達成できることとなる。
【００２４】
上記のような構成によって、取っ手４を合成樹脂製とした場合にも強度が十分であり、また取り付けし易く、交換時などの場合の取り外しが容易であり、取っ手４を使用しない場合には取っ手収納凹部４３に収納し、運搬状態においても安定した取っ手装置が提供できる。
【産業上の利用可能性】
【００２５】
本発明は、加湿器に限らず、家庭用機器等のように運搬可能な機器の取っ手に適用して効果あるものであり、上記形態に限定されず、本発明の技術的範囲を逸脱しない限り種々の機器に適用できるものである。
【図面の簡単な説明】
【００２６】
【図１】本発明に係る取っ手を立ち上げた状態の加湿器の正面斜視図である。（実施例１）
【図２】本発明に係る加湿器の縦断側面図である。（実施例１）
【図３】本発明に係る取っ手の取り付け部と左右支持軸との関係を示す斜視図である。（実施例１）
【図４】本発明に係る取っ手を立ち上げた状態の取り付け部と左右支持軸との関係を示す側面図である。（実施例１）
【図５】図４のＡ−Ａ矢視図である。（実施例１）
【図６】本発明に係る取っ手を取っ手収納凹部に取り付ける順序を説明する斜視図である。（実施例１）
【符号の説明】
【００２７】
１・・・加湿器（機器）
２・・・加湿器（機器）本体
２Ａ・・加湿器（機器）本体の上壁
４・・・取っ手
４０・・左右の取り付け辺
４１・・取り付け部
４２・・握り部
４３・・取っ手収納凹部
４４・・左右支持軸
４５・・軸受け部
４６・・隔壁
４７・・挿入路
４８・・支え部
４９・・支え部と挿入路との連通部
【図１】
2006038104.tif 000003
【図２】
2006038104.tif 000004
【図３】
2006038104.tif 000005
【図４】
2006038104.tif 000006
【図５】
2006038104.tif 000007
【図６】
2006038104.tif 000008